(57)【要約】【課題】原材料の使用量を削減し、合理的な配置と裁断及び組立工数の削減を可能にして、強度向上と低コスト化を同時に満足させることができる紙製パレット用桁材を提供すること。【解決手段】互いの切欠部１ｃ、２ｃ同士を差し込んで同じ高さｈの井桁状に組み合わされた複数の縦桟１と横桟２と、これらの周囲を四角形筒状に囲繞被覆するカバーシート３とからなり、いずれも段ボール板紙で構成され、前記縦桟１及び横桟２が段ボール板紙の波形状の中芯１ｂ、２ｂの段に平行な方向が高さ方向として裁断され、かつ、高さ方向Ｚに２つ折りとされ、前記中芯の段に直角の方向に所定長さに裁断された四角形板状をなしている。【選択図】図１
2007217053.tif 000002
【特許請求の範囲】
【請求項１】
段ボール板紙で構成され、該段ボール板紙の波形状の中芯の段に平行な方向が高さ方向として裁断され、かつ、高さ方向に２つ折りとされ、前記中芯の段に直角の方向に所定長さに裁断された長方形板状をなし、所定間隔で平行に配置された複数の縦桟と、
前記縦桟と同じ段ボール板紙で構成され、該段ボール板紙の波形状の中芯の段に平行な方向が高さ方向として裁断され、かつ、高さ方向に２つ折りされて前記縦桟と同じ高さとされ、前記中芯の段に直角の方向に前記縦桟よりも短い所定長さに裁断された矩形板状をなし、前記縦桟に直交して所定間隔で平行に配置されて平面形状が井桁状となるように互いの切欠部同士を差し込んで同じ高さに組み合わされた複数の横桟と、
前記井桁状に組み合わされた縦桟と横桟に対して、前記横桟の矩形板状の周囲四辺に接触して四角形筒状に巻き付けられ、この巻き付け方向両端を重合して糊付け接合され、前記縦桟の長手方向全長に亘る長さとされた段ボール板紙からなるカバーシートとを備えていることを特徴とする紙製パレット用桁材。
【請求項２】
前記縦桟及びカバーシートには、長手方向の中央部に切り離し用の切り目が断続的に形成してあることを特徴とする請求項１に記載の紙製パレット用桁材。
【請求項３】
前記横桟は、縦桟の長手方向の中央を対称中心として、少なくとも縦桟の長手方向両端付近と中央付近とに配置されていることを特徴とする請求項１又は２に記載の紙製パレット用桁材。
【請求項４】
前記縦桟及び横桟は、前記２つ折り位置において、折り目の内側となる側の段ボール板紙のライナをヒンジ部として残し、他の中芯及びライナが前記折り目に沿ってカットされており、前記切欠部は、前記２つ折り位置の反対側の端部に前記高さの半分の深さで形成されていることを特徴とする請求項１〜３の何れかに記載の紙製パレット用桁材。
【請求項５】
請求項１〜４に記載の桁材において、縦桟が１本とされ、横桟の配置間隔が複数の縦桟が使用される場合よりも短くされて横桟の使用数が増加されており、その周囲にカバーシートが巻き付けられていることを特徴とする紙製パレット用桁材。
【発明の詳細な説明】
【技術分野】
【０００１】
本発明は、紙製パレット用桁材に関するものである。
【背景技術】
【０００２】
一般に、物流において用いられるパレットには、木製パレット、樹脂製パレット、金属製パレット及び紙製パレットがあり、このうち、紙製パレットが他のパレットに比べて軽量であり、取り扱いが容易で作業者などに怪我の心配がなく、積載重量軽減による物流コストの抑制、最適輸送効率の実現、物流資源コストの削減、廃棄処分やリサイクルが容易で環境にやさしいことなどの優れた利点があり、また、１回の使用で捨てるワンウエイ化にも最適であることから本格的な利用が展開されつつある。
【０００３】
上記紙製パレット及び桁材として、例えば、特許文献１〜３が公知である。
【特許文献１】実公昭３７−１０８４４号公報
【特許文献２】実開昭５６−１７５３３７号公報
【特許文献３】実開昭５８−３８５１７号公報
【発明の開示】
【発明が解決しようとする課題】
【０００４】
上記ワンウエイ化において要求されることは、低コスト化である。この種の紙製パレットにおいて、低コスト化を実現するには、原材料の使用量を削減することであるが、原材料の使用量を削減すると、積載物重量に対する平面圧縮強度（耐圧強度）が不足する不具合がある。
従来の特許文献１の桁材は、段ボール板紙を長短の短冊状に裁断し、長い方を縦桟とし、短い方を横桟にして等間隔で緻密に組み合わせており、そのため、縦桟に比べて横桟の使用枚数が多くなり、それだけ裁断と組立に手数を要し、低コスト化を阻害する要因となっているのみならず、縦桟及び横桟ともに短冊状に裁断された１枚の段ボール板紙をそのまま使用しているだけであるため、１枚１枚の縦桟及び横桟の強度が不足し、桁材全体の強度を上げるには縦桟と横桟の使用枚数を増加して縦横の間隔を緻密化する必要があり、原材料の使用量が増加し、増々低コスト化に逆行するという問題点があった。
【０００５】
また、特許文献２のものは、段ボール板紙の波形状の中芯の段に平行な方向が高さ方向として裁断したものを補強桁に使用しているが、この場合でも、補強桁には、短冊状に裁断された１枚の段ボール板紙をそのまま使用しているだけであるため、１枚１枚の補強桁の強度が不足し、桁全体の強度を上げるには補強桁の使用枚数を増加して配置間隔を緻密化する必要があり、裁断と組立に手数を要し、原材料の使用量も増加し、低コスト化に逆行するという問題点があった。
【０００６】
また、特許文献３のものは、展開状態で裁断した段ボール板紙を折り曲げ及び折り込みして箱形状を形成させるようにしたものであるが、この桁材では、縦桟及び横桟の形成位置が短辺方向中央部や長辺方向両端などに制約され、箱内空間に縦桟及び横桟を制約されることなく合理的に配置形成することができず、強度向上と低コスト化を同時に満足させることができないという問題点があった。
【０００７】
また、この種のパレットは、フォークリフトのフォークに対して二方差しと四方差しとで桁材を使い分ける必要があるが、特許文献１〜３のものは、上記二種類を別々に製作準備する必要があり、製品管理も複雑となるという問題点があった。
本発明は、従来の紙製パレット用桁材の上記問題点に鑑みて開発されたもので、その目的とするところは、原材料の使用量を削減し、合理的な配置と裁断及び組立工数の削減を可能にして、強度向上と低コスト化を同時に満足させることができる紙製パレット用桁材を提供することを目的としている。
【課題を解決するための手段】
【０００８】
前記目的を達成するために本発明は、段ボール板紙で構成され、該段ボール板紙の波形状の中芯の段に平行な方向が高さ方向として裁断され、かつ、高さ方向に２つ折りとされ、前記中芯の段に直角の方向に所定長さに裁断された長方形板状をなし、所定間隔で平行に配置された複数の縦桟と、
前記縦桟と同じ段ボール板紙で構成され、該段ボール板紙の波形状の中芯の段に平行な方向が高さ方向として裁断され、かつ、高さ方向に２つ折りされて前記縦桟と同じ高さとされ、前記中芯の段に直角の方向に前記縦桟よりも短い所定長さに裁断された矩形板状をなし、前記縦桟に直交して所定間隔で平行に配置されて平面形状が井桁状となるように互いの切欠部同士を差し込んで同じ高さに組み合わされた複数の横桟と、
前記井桁状に組み合わされた縦桟と横桟に対して、前記横桟の矩形板状の周囲四辺に接触して四角形筒状に巻き付けられ、この巻き付け方向両端を重合して糊付け接合され、前記縦桟の長手方向全長に亘る長さとされた段ボール板紙からなるカバーシートとを備えていることを特徴としている。
【０００９】
上記構成によれば、桁材の中骨となる縦桟及び横桟は、何れも段ボール板紙で構成されているため軽量であり、しかも、段ボール板紙の波形状の中芯の段に平行な方向が高さ方向として裁断されているため上下方向の支持強度を大きくすることができ、かつ、高さ方向に２つ折りとされているため、裁断及び組立工数が削減できるとともに、各縦桟及び横桟の厚さが段ボール板紙２枚分となり、個々の縦桟及び横桟の強度が２倍以上に向上し、しかも、縦桟と横桟の配置が他に制約されず、自由に合理的に配置することができ、その結果、原材料の使用量を削減して強度向上と低コスト化を同時に満足することができる紙製パレット用桁材を提供することができる。なお、桁材の中骨の外側は、四角形筒状のカバーシートによって被覆されているため、パレットの上下両面のデッキボードや上面だけのデッキボードに広い面積で強固に糊付けすることが可能となる。
【００１０】
また、前記縦桟及びカバーシートには、長手方向の中央部に切り離し用の切り目が断続的に形成してあることを特徴としている。
上記構成によれば、四方差しパレットに使用する場合では、本発明の桁材を長手方向中央部で切り離して半分の長さにして使用すればよく、この場合、桁材の長手方向中央部には切り目が形成してあるため、簡単に切り離すことができ、二方差しパレットに使用する場合には、切り離すことなくそのままで使用すればよいもので、桁材の製作工数や製品管理を四方差しと二方差しとで共用できる利点がある。
【００１１】
また、前記横桟は、縦桟の長手方向の中央を対称中心として、少なくとも縦桟の長手方向両端付近と中央付近とに配置されていることを特徴としている。
上記構成によれば、桁材を四方差しと二方差しとに使用した場合でも単位面積当たりの平面強度を同一とすることができる。
さらに、前記縦桟及び横桟は、前記２つ折り位置において、折り目の内側となる側の段ボール板紙のライナをヒンジ部として残し、他の中芯及びライナが前記折り目に沿ってカットされており、前記切欠部は、前記２つ折り位置の反対側の端部に前記高さの半分の深さで形成されていることを特徴としている。
【００１２】
上記構成によれば、折り目側の小口面が折り曲げによって潰れることがなく、それだけ支持強度がアップし、しかも、２つ折りされた２片は、一方のライナによってヒンジ部で一体に連結され個別にずれたりせず、これら２つ折りされた縦桟と横桟は、２つ折り位置の反対側の端部に高さの半分の深さで形成されている切欠部同士を互いに差し込んで井桁状に組み合わされているため、縦桟と横桟で相互に開きを抑え、その弾性反発力で抜け止め作用を生じて井桁状を自己保持し、糊付けを省略することができる。
【００１３】
前記構成の桁材において、縦桟が１本とされ、横桟の配置間隔が複数の縦桟が使用される場合よりも短くされて横桟の使用数が増加されており、その周囲にカバーシートが巻き付けられていることを特徴としている。
上記構成によれば、横桟の長さが短くて切欠部を２個形成することが寸法的に困難であるような場合には、縦桟を１本だけとし、横桟の配置間隔を短くして使用数を増加させて要求される支持強度を満たすようにすることができる。
【発明の効果】
【００１４】
本発明によれば、原材料の使用量を削減し、合理的な配置と裁断及び組立工数の削減を可能にして、強度向上と低コスト化を同時に満足させることができる紙製パレット用桁材を提供することができる。
【発明を実施するための最良の形態】
【００１５】
以下、本発明の紙製パレット用桁材の実施形態を図面に基づいて説明する。
図１〜図４において、１は縦桟、２は横桟、３はカバーシートを示している。
縦桟１は、図１及び図２に示すように、段ボール板紙１ａで構成され、該段ボール板紙１ａの波形状の中芯１ｂの段に平行な方向が高さ方向Ｚとして裁断され、かつ、高さ方向Ｚに２つ折りとされ、前記中芯１ｂの段に直角の方向Ｙに所定長さＬに裁断された長方形板状をなし、複数（図は２本を例示）が所定間隔で平行に配置されている。
【００１６】
横桟２は、図１及び図３に示すように、前記縦桟１と同じ段ボール板紙２ａで構成され、該段ボール板紙２ａの波形状の中芯２ｂの段に平行な方向が高さ方向Ｚとして裁断され、かつ、高さ方向Ｚに２つ折りされて前記縦桟１と同じ高さｈとされ、前記中芯２ｂの段に直角の方向Ｘに前記縦桟１よりも短い所定長さＷに裁断された矩形板状をなし、前記縦桟１に直交して複数（図は４本を例示）が所定間隔で平行に配置されて平面形状が井桁状となるように互いの切欠部１ｃ、２ｃ同士を差し込んで同じ高さｈに組み合わされている。
【００１７】
カバーシート３は、図１、図４に示すように、四角形の段ボール板紙３ａからなり、前記井桁状に組み合わされた縦桟１と横桟２に対して、前記横桟２の矩形板状の周囲四辺に接触して四角形筒状に巻き付けられ、この巻き付け方向両端３ｂ、３ｃを重合して糊付け接合され、前記縦桟１の長手方向全長に亘る長さＬとされている。即ち、上記段ボール板紙３ａは、隣接する２辺の長さが、縦桟１及び横桟２の高さをｈ、横桟２の長さをＷとすると、これらを交互に５辺分配置した長さ、即ち、（３ｈ＋２Ｗ）の長さを１辺とし、これに隣接する他辺の長さを縦桟１の長さＬと同じとした大きさの四角形とされ、前記５辺の境界には折り目３ｄが付けられている。なお、このカバーシート３を構成する段ボール板紙３ａの厚さは、前記縦桟１及び横桟２に使用されている段ボール板紙１ａ、２ａよりも薄いものが使用されている。また、カバーシート３を構成する段ボール板紙３ａは、波形状の中芯３ｅの段に平行な方向が前記巻き付け方向と平行となるように裁断されている。
【００１８】
前記縦桟１及びカバーシート３には、図２、図４に示すように、長手方向の中央部に切り離し用の切り目１ｄ、３ｆが断続的に形成してある。
前記横桟２は、図１に示すように、縦桟１の長手方向の中央を対称中心として、少なくとも縦桟１の長手方向両端付近と中央付近とに配置されている。
前記縦桟１及び横桟２は、図５、図２、図３に示すように、前記２つ折り位置において、折り目１ｅ、２ｄの内側となる側の段ボール板紙１ａ、２ａのライナ１ｆ、２ｅをヒンジ部として残し、他の中芯１ｂ、２ｂ及びライナ１ｇ、２ｆが前記折り目１ｅ、２ｄに沿ってカットされており、前記切欠部１ｃ、２ｃは、前記２つ折り位置の反対側の端部に前記高さｈの半分の深さで形成されている。なお、切欠部１ｃ、２ｃの切り欠き幅は、それぞれ段ボール板紙１ａ、２ａの２つ折り分の厚さと同じとされている。また、切欠部１ｃ、２ｃの入口両側には、案内傾斜部１ｈ、２ｇが形成してあり、差し込み易くしている。
【００１９】
本発明に係る桁材４の実施形態は以上の構成からなり、これを図６に示すように、上下のデッキボード５，６の間に等間隔で配置して紙製パレット７を作成する。この図６は、四方差しの両面型パレットの場合を例示しており、そのため、本発明の桁材４は、縦桟１の長手方向に２分割して使用している。
本発明の桁材４によれば、桁材４の中骨となる縦桟１及び横桟２は、何れも段ボール板紙１ａ、２ａで構成されているため軽量であり、しかも、段ボール板紙１ａ、２ａの波形状の中芯１ｂ、２ｂの段に平行な方向が高さ方向Ｚとして裁断されているため上下方向の支持強度を大きくすることができ、かつ、高さ方向Ｚに２つ折りとされているため、裁断及び組立工数が削減できるとともに、各縦桟１及び横桟２の厚さが段ボール板紙２枚分となり、個々の縦桟１及び横桟２の強度が２倍以上に向上し、しかも、縦桟１と横桟２の配置が他に制約されず、自由に合理的に配置することができ、その結果、原材料の使用量を削減して強度向上と低コスト化を同時に満足することができる紙製パレット用桁材を提供することができる。なお、桁材４の中骨の外側は、四角形筒状のカバーシート３によって被覆されているため、パレット７の上下両面のデッキボード５，６（両面型）や上面だけのデッキボード（単面型）に広い面積で強固に糊付けすることが可能となる。
【００２０】
また、図６のように、四方差しパレット７に使用する場合では、本発明の桁材４を長手方向中央部で切り離して半分の長さにして使用すればよく、この場合、桁材４の長手方向中央部には切り目１ｄ、３ｆが形成してあるため、簡単に切り離すことができ、二方差しパレットに使用する場合には、切り離すことなくそのままで使用すればよいもので、桁材４の製作工数や製品管理を四方差しと二方差しとで共用できる利点がある。
【００２１】
そして、桁材４を四方差しと二方差しとに使用した場合でも単位面積当たりの平面強度を同一とすることができる。
さらに、縦桟１及び横桟２の折り目１ｅ、２ｄ側の小口面が折り曲げによって潰れることがなく、それだけ支持強度がアップし、しかも、２つ折りされた２片は、一方のライナ１ｆ、２ｅによってヒンジ部で一体に連結され個別にずれたりせず、これら２つ折りされた縦桟１と横桟２は、２つ折り位置の反対側の端部に高さｈの半分の深さｈ／２で形成されている切欠部１ｃ、２ｃ同士を互いに差し込んで井桁状に組み合わされているため、縦桟１と横桟２で相互に相手の開きを抑え、その弾性反発力で互いに抜け止め作用を生じて井桁状を自己保持し、糊付けを省略することができる。これによって、糊材の削減、工程の削減が可能となり、低コスト化に寄与することができる。
【００２２】
本発明の実施形態は以上からなるが、本発明は、この実施形態にのみ制約されるものではなく、特許請求の範囲に記載された事項の範囲内で適宜変更して実施することができる。例えば、縦桟１は、２本の場合を例示したが、１本だけしか配置できない場合には横桟２を増加させて対応してもよく、３本としたり、３本以上としてもよい。また、縦桟１及び横桟２は、複両面段ボールとし、カバーシート３は両面段ボールとしたが、これに制約されず、他の段ボール板紙で構成してもよい。サイズは、例えば、Ｗ×Ｌ×ｈが、１００×２００×９５（ｍｍ）、１００×４００×９５（ｍｍ）、１５０×２００×９５（ｍｍ）、１５０×４００×９５（ｍｍ）、２００×２００×９５（ｍｍ）、２００×４００×９５（ｍｍ）とすることができ、これ以外としてもよい。但し、Ｗが大きくなるほど縦桟１の使用本数を増やし、また、Ｌが長くなるほど横桟２の配置本数を増やせばよい。また、逆に、Ｗが小さくなる場合では、縦桟１を１本とし、横桟２の使用数を増加させて要求される支持強度を満たすようにしてもよい。さらに、本発明の桁材は、軽量用に適するが、他の用途（例えば中量用等）に適用することも可能である。
【図面の簡単な説明】
【００２３】
【図１】本発明の実施形態に係る桁材の分解状態の斜視図である。
【図２】図１の縦桟の展開斜視図である。
【図３】図１の横桟の展開斜視図である。
【図４】図１の桁材の完成品の斜視図である。
【図５】図１の縦桟（横桟）の２つ折り状態の説明用拡大斜視図である。
【図６】本発明の桁材で製作した四方差しパレットの斜視説明図である。
【符号の説明】
【００２４】
１    縦桟
２    横桟
３    カバーシート
４    桁材
５，６  デッキボード
７    パレット
【図１】
2007217053.tif 000003
【図２】
2007217053.tif 000004
【図３】
2007217053.tif 000005
【図４】
2007217053.tif 000006
【図５】
2007217053.tif 000007
【図６】
2007217053.tif 000008